【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
被検眼の撮像領域における、当該撮像領域の画角よりも小さい画角を有する複数の高倍率画像の撮像を制御する情報処理装置であって、
前記高倍率画像を撮像する複数の位置の配置を示す複数の基本パターンを、操作者に対して選択可能に提示する提示手段と、
前記複数の基本パターンの中から選択された基本パターンに予め関連付けられた、複数の前記高倍率画像の撮像に関する撮像条件を、操作者の指示に従い調整する調整手段と、
調整された前記撮像条件に従い、前記撮像領域において前記複数の高倍率画像を撮像装置に撮像させる制御手段と
を備えることを特徴とする情報処理装置。
【請求項２】
前記調整手段は、選択された前記基本パターンを代表する点の前記撮像領域における位置と、前記撮像条件が取り得る範囲を定める操作者により指示された制約条件と、操作者により指示された前記撮像条件の変更量と、の少なくともいずれかに基づいて、前記撮像条件を調整することを特徴とする請求項１に記載の情報処理装置。
【請求項３】
前記高倍率画像よりも低倍率の前記撮像領域の全体が撮像された低倍率画像を解析して、当該低倍率画像の特徴を示す情報を取得する取得手段を更に備え、
前記調整手段は、更に、前記情報に基づき前記撮像条件を調整する
ことを特徴とする請求項１又は２に記載の情報処理装置。
【請求項４】
被検眼の撮像領域において、当該撮像領域の画角よりも小さい画角を有する複数の高倍率画像の撮像を制御する情報処理装置であって、
前記高倍率画像よりも低倍率の前記撮像領域の全体が撮像された低倍率画像を解析して、当該低倍率画像の特徴を示す情報を取得する取得手段と、
前記情報に基づいて、複数の前記高倍率画像の撮像に関する撮像条件を決定する決定手段と、
決定された前記撮像条件に従い、前記撮像領域における複数の位置のそれぞれにおいて前記高倍率画像を撮像装置に撮像させる制御手段と
を備えることを特徴とする情報処理装置。
【請求項５】
前記取得手段は、前記低倍率画像における閉領域または環状領域に含まれる領域の特徴を取得することを特徴とする請求項３又は４に記載の情報処理装置。
【請求項６】
撮像された前記複数の高倍率画像を、前記低倍率画像に重畳して表示手段に表示させる表示制御手段を更に備えることを特徴とする請求項３から５のいずれか１項に記載の情報処理装置。
【請求項７】
前記表示制御手段は、前記取得手段が取得した血管もしくは血球が移動した領域に関する画像の特徴に基づき、前記撮像された高倍率画像から少なくとも１つの血管画像を前記表示手段に表示させることを特徴とする請求項６に記載の情報処理装置。
【請求項８】
前記表示制御手段は、前記撮像された複数の高倍率画像を、被験者から計測される生体信号が示す周期的タイミングに同期して、前記表示手段に表示させることを特徴とする請求項６又は７に記載の情報処理装置。
【請求項９】
前記撮像条件には、前記撮像領域における前記高倍率画像を撮像する位置と、撮像の順序と、同一の位置で撮像する画像数と、前記高倍率画像の画角と、前記高倍率画像の画素サイズと、撮像のフレーム数と、フレームレートと、合焦位置と、の少なくともいずれかが含まれることを特徴とする請求項１から８のいずれか１項に記載の情報処理装置。
【請求項１０】
前記高倍率画像のフレームから、輝度異常の程度と、歪みの大きさと、信号に対する雑音の大きさと、基準フレームに対する変位量との少なくとも１つが一定値以上の値を示すフレームを例外フレームとして判定する判定手段をさらに備え、
前記判定手段の判定結果に基づき、前記複数の高倍率画像の再取得の要否が決定される
ことを特徴とする請求項１から９のいずれか１項に記載の情報処理装置。
【請求項１１】
前記制御手段は、前記高倍率画像として、前記撮像領域における断層像を前記撮像装置に撮像させることを特徴とする請求項１から１０のいずれか１項に記載の情報処理装置。
【請求項１２】
被検眼の撮像領域における、当該撮像領域の画角よりも小さい画角を有する複数の高倍率画像の撮像を制御する情報処理装置の各手段により実行される情報処理方法であって、
提示手段が、前記高倍率画像を撮像する複数の位置の配置を示す複数の基本パターンを、操作者に対して選択可能に提示する提示工程と、
調整手段が、前記複数の基本パターンの中から選択された基本パターンに予め関連付けられた、複数の前記高倍率画像の撮像に関する撮像条件を、操作者の指示に従い調整する調整工程と、
制御手段が、調整された前記撮像条件に従い、前記撮像領域において前記複数の高倍率画像を撮像装置に撮像させる制御工程と
を備えることを特徴とする情報処理方法。
【請求項１３】
被検眼の撮像領域において、当該撮像領域の画角よりも小さい画角を有する複数の高倍率画像の撮像を制御する情報処理装置の各手段により実行される情報処理方法であって、
取得手段が、前記高倍率画像よりも低倍率の前記撮像領域の全体が撮像された低倍率画像を解析して、当該低倍率画像の特徴を示す情報を取得する取得工程と、
決定手段が、前記情報に基づいて、複数の前記高倍率画像の撮像に関する撮像条件を決定する決定工程と、
制御手段が、決定された前記撮像条件に従い、前記撮像領域における複数の位置のそれぞれにおいて前記高倍率画像を撮像装置に撮像させる制御工程と
を備えることを特徴とする情報処理方法。
【請求項１４】
コンピュータを請求項１から１１のいずれか１項に記載の情報処理装置が備える各手段として機能させるためのコンピュータプログラム。
【手続補正２】
【補正対象書類名】明細書
【補正対象項目名】０００７
【補正方法】変更
【補正の内容】
【０００７】
一方、網膜内層（図７（ａ）のＢ２からＢ４）には、網膜血管や分岐した毛細血管が走行している。特に、患眼では、撮像対象領域が、ＳＬＯ装置が撮像可能な１つのＳＬＯ画像の画角よりも大きい場合がしばしばある。図７（ｃ）、図７（ｄ）は、撮像対象領域がＳＬＯ画像の画角よりも大きい場合の例を示している。図７（ｃ）は毛細血管病変の好発部位（破線で囲まれた環状領域）の例を示し、図７（ｄ）は広範な視細胞欠損領域（黒色の閉領域）の例を示している。図７（ｃ）、図７（ｄ）のような場合、撮像対象領域の全てを高倍率に取得すると多数のＳＬＯ画像の撮像条件の設定が煩雑であったり、撮像時間が長くなって被験者の負担が増えてしまう問題があった。撮像対象領域には、診療する上で高倍率画像を取得する必要性の高い領域と、必要性の低い領域とが混在しているため、被験者に負担がかからない検査時間で高倍率画像を取得する必要の高い領域が全て撮像できるよう、撮像領域を適切に設定する必要がある。
【手続補正３】
【補正対象書類名】明細書
【補正対象項目名】００１３
【補正方法】変更
【補正の内容】
【００１３】
上記目的を達成するため、本発明による情報処理装置は以下の構成を備える。即ち、
被検眼の撮像領域における、当該撮像領域の画角よりも小さい画角を有する複数の高倍率画像の撮像を制御する情報処理装置であって、
前記高倍率画像を撮像する複数の位置の配置を示す複数の基本パターンを、操作者に対して選択可能に提示する提示手段と、
前記複数の基本パターンの中から選択された基本パターンに予め関連付けられた、複数の前記高倍率画像の撮像に関する撮像条件を、操作者の指示に従い調整する調整手段と、
調整された前記撮像条件に従い、前記撮像領域において前記複数の高倍率画像を撮像装置に撮像させる制御手段と
を備える。